(57)【特許請求の範囲】
【請求項１】
圧縮機、凝縮器、減圧機構および蒸発器の順に冷媒を循環させる蒸気圧縮式冷凍サイクルを利用する空調機であって、
所定機能が、前記所定機能を必要とする時刻またはその近傍で働くように設定するための設定手段（４０）と、
前記設定手段（４０）によって設定された条件に沿って空調運転を行う制御手段（５０）と、
を備え、
前記所定機能は、
予熱設定時間帯（ｔ１ｓ〜ｔ１ｆ）に前記圧縮機を低能力で運転して暖房運転時と同じ冷凍サイクルで冷媒を循環させ、暖房運転開始指令を受けたときに暖房運転を開始する第１機能と、
暖房設定時刻（ｔ２）に空調対象空間の温度が設定温度に近づくように自動的に暖房運転を開始する第２機能と、
を含み、
前記設定手段（４０）は、前記第１機能および前記第２機能の両方の成立に矛盾があるか否かにかかわらず前記第１機能および前記第２機能の両方を設定することができる、
空調機。
【請求項２】
調和された空気の吹出方向を調節する風向調整手段（６０）をさらに備え、
前記制御手段（５０）は、前記第１機能が働いている期間中に暖房運転を開始する指令を受けたとき、前記風向調整手段（６０）を介して前記空気の吹出方向を所定領域に向う方向へ固定する、
請求項１に記載の空調機。
【請求項３】
前記制御手段（５０）は、前記第１機能と前記第２機能とを両立させることができないと判断したとき、前記第１機能および前記第２機能のいずれか一方の機能を優先させる、
請求項１に記載の空調機。
【請求項４】
前記制御手段（５０）は、前記第２機能よりも前記第１機能を優先させる、
請求項３に記載の空調機。
【請求項５】
エネルギー消費を抑制した空調運転を行う節電モードを選択するための選択手段（３０）をさらに備え、
前記制御手段（５０）は、前記選択手段（３０）から前記節電モードを実行する指令を受けたとき、前記第２機能よりも前記第１機能を優先させる、
請求項４に記載の空調機。
【請求項６】
前記制御手段（５０）は、前記暖房設定時刻（ｔ２）に基づいて第２機能開始時刻（ｔ２ｓ）を決定し、
さらに、前記制御手段（５０）は、前記第２機能開始時刻（ｔ２ｓ）及び前記暖房設定時刻（ｔ２）の少なくともいずれか一方が前記予熱設定時間帯（ｔ１ｓ〜ｔ１ｆ）に存在するとき、前記第２機能よりも前記第１機能を優先させる、
請求項４又は請求項５に記載の空調機。
【請求項７】
さらに、前記制御手段（５０）は、前記暖房設定時刻（ｔ２）が前記予熱設定時間帯（ｔ１ｓ〜ｔ１ｆ）に存在するとき、前記暖房設定時刻（ｔ２）に暖房運転を開始する、
請求項６に記載の空調機。
【請求項８】
さらに、前記制御手段（５０）は、前記暖房設定時刻（ｔ２）が前記予熱設定時間帯（ｔ１ｓ〜ｔ１ｆ）よりも遅いとき、前記予熱設定時間帯の最終時刻に暖房運転を開始する、
請求項６に記載の空調機。
【請求項９】
エネルギー消費を抑制した空調運転を行う節電モードを選択するための選択手段（３０）をさらに備え、
前記制御手段（５０）は、前記選択手段（３０）から前記節電モードを解除する指令を受けたとき、前記第１機能よりも前記第２機能を優先させる、
請求項３に記載の空調機。
【請求項１０】
前記制御手段（５０）は、前記暖房設定時刻（ｔ２）に基づいて第２機能開始時刻（ｔ２ｓ）を決定し、
さらに、前記制御手段（５０）は、前記第２機能開始時刻（ｔ２ｓ）が前記予熱設定時間帯（ｔ１ｓ〜ｔ１ｆ）に存在するとき、前記第２機能開始時刻（ｔ２ｓ）に暖房運転を開始する、
請求項９に記載の空調機。
【請求項１１】
さらに、前記制御手段（５０）は、前記第２機能開始時刻（ｔ２ｓ）が前記予熱設定時間帯（ｔ１ｓ〜ｔ１ｆ）よりも早く、前記暖房設定時刻（ｔ２）が前記予熱設定時間帯（ｔ１ｓ〜ｔ１ｆ）に存在するとき、前記第２機能開始時刻（ｔ２ｓ）に暖房運転を開始する、
請求項１０に記載の空調機。
【発明の詳細な説明】
【技術分野】
【０００１】
本発明は、空調機に関し、特に、予熱運転機能および暖房予約機能を有する空調機に関する。
【背景技術】
【０００２】
空調機において、冬場の朝に暖房の立ち上がりを早くする手段として、特許文献１（特開２０１０−４８４９４号公報）に、圧縮機を低能力で運転しながら暖房開始指令を受けた後に圧縮機の能力を増大させる予熱運転機能が開示されている。
【発明の概要】
【発明が解決しようとする課題】
【０００３】
また、一般の空調機には、設定時刻までに部屋が所定温度となるように暖房する暖房予約機能が付帯されているが、上記特許文献には予熱運転機能および暖房予約機能の使い分けについて何ら説明がなく、機能両立の可否、機能の優先順位決定の要否については不明である。
【０００４】
本発明の課題は、両機能を両立すべきか、或いは、いずれか一方の機能を優先すべきかをユーザーに代わって空調機側で決定する、ユーザーにとって使い勝手のよい空調機を提供することにある。
【課題を解決するための手段】
【０００５】
本発明の第１観点に係る空調機は、圧縮機、凝縮器、減圧機構および蒸発器の順に冷媒を循環させる蒸気圧縮式冷凍サイクルを利用する空調機であって、設定手段と、制御手段とを備えている。設定手段は、所定機能が、その所定機能を必要とする時刻またはその近傍で働くように設定するための手段である。制御手段は、設定手段によって設定された条件に沿って空調運転を行う。所定機能は、第１機能と第２機能とを含んでいる。第１機能は、予熱設定時間帯に圧縮機を低能力で運転して暖房運転時と同じ冷凍サイクルで冷媒を循環させ、暖房運転開始指令を受けたときに暖房運転を開始する機能である。第２機能は、暖房設定時刻に空調対象空間の温度が設定温度に近づくように自動的に暖房運転を開始する機能である。設定手段は、第１機能および第２機能の両方の成立に矛盾があるか否かにかかわらず第１機能および第２機能の両方を設定することができる。
【０００６】
第１機能と第２機能とを両立すべきか、それとも、いずれか一方を優先すべきかを空調機側で決定するには、少なくとも成立に矛盾があるか否かにかかわらず両機能を設定できるようにする必要がある。この空調機では、設定手段が第１機能および第２機能の両方を設定することができるので、一方が既に設定されていることを理由に他方が排除されることがない。
【０００７】
本発明の第２観点に係る空調機は、第１観点に係る空調機であって、風向調整手段をさらに備えている。風向調整手段は、調和された空気の吹出方向を調節する。制御手段は、第１機能が働いている期間中に暖房運転を開始する指令を受けたとき、風向調整手段を介して空気の吹出方向を所定領域に向う方向へ固定する。
【０００８】
この空調機では、第１機能が、例えば冬場の朝など、すぐに暖かい空気が必要な生活シーンに適用されるので、暖かい空気の吹出方向が固定されることによって、ユーザーは暖気が到達するゾーンで朝の仕度をすればよく、ユーザーにとって使い勝手がよい。
【０００９】
本発明の第３観点に係る空調機は、第１観点に係る空調機であって、制御手段が、第１機能と第２機能とを両立させることができないと判断したとき、第１機能および第２機能のいずれか一方の機能を優先させる。
【００１０】
この空調機では、例えば、第１機能における圧縮機の始動時間と第２機能における圧縮機の始動時間とが一致した場合などは、両機能の両立は不可能であるのでいずれか一方を優先すればよい。つまり、両機能の優先順位の決定は空調機側で行うので、ユーザー自らが考える必要がなく、使い勝手がよい。
【００１１】
本発明の第４観点に係る空調機は、第３観点に係る空調機であって、制御手段が第２機能よりも第１機能を優先させる。
【００１２】
この空調機では、部屋全体を設定温度まで暖める第２機能を優先した場合、エネルギー消費を増加させることになる。それゆえ、第２機能に比べてエネルギー消費の少ない第１機能を優先させることによって、節電効果が得られる。
【００１３】
本発明の第５観点に係る空調機は、第４観点に係る空調機であって、選択手段をさらに備えている。選択手段は、エネルギー消費を抑制した空調運転を行う節電モードを選択するための手段である。制御手段は、選択手段から節電モードを実行する指令を受けたとき、第２機能よりも第１機能を優先させる。
【００１４】
この空調機では、ユーザーが節電モードを選択するだけで、節電効果のある第１機能が自動的に選択されるので、ユーザーにとって使い勝手がよい。
【００１５】
本発明の第６観点に係る空調機は、第４観点または第５観点に係る空調機であって、制御手段が、暖房設定時刻に基づいて第２機能開始時刻を決定する。さらに、制御手段は、第２機能開始時刻および第２設定時刻の少なくともいずれか一方が予熱設定時間帯に存在するとき、第２機能よりも第１機能を優先させる。
【００１６】
この空調機では、第１機能の予熱設定時間帯に第２機能開始時刻および第２設定時刻の少なくともいずれか一方が存在するような状態のときに、制御手段がユーザーの手を煩わせることなく自動的に第１機能を選択し、必要最低限の暖気を供給しながら節電を行う。
【００１７】
本発明の第７観点に係る空調機は、第６観点に係る空調機であって、さらに、暖房設定時刻が予熱設定時間帯に存在するとき、制御手段は暖房設定時刻に暖房運転を開始する。
【００１８】
この空調機では、ユーザーが第1機能の予熱設定時間帯で暖房運転を開始させる時機を逸した場合でも、第２機能の暖房設定時刻になれば暖房運転が開始されるので、ユーザーに手間がかからず便利である。
【００１９】
本発明の第８観点に係る空調機は、第６観点に係る空調機であって、さらに、第２設定時刻が予熱設定時間帯よりも遅いとき、制御手段は予熱設定時間帯の最終時刻に暖房運転を開始する。
【００２０】
この空調機では、第１機能が終了しても、圧縮機を停止させることなく暖房運転のために継続させることになるので、圧縮機への負荷が軽減され、節電効果が得られる。
【００２１】
本発明の第９観点に係る空調機は、第３観点に係る空調機であって、選択手段をさらに備えている。選択手段は、エネルギー消費を抑制した空調運転を行う節電モードを選択するための手段である。制御手段は、選択手段から節電モードを解除する指令を受けたとき、第１機能よりも第２機能を優先させる。
【００２２】
この空調機では、ユーザーが節電よりも快適性を求めることを、節電モードの解除をもって確認できる上に、第２機能によってその求めに応えることができる。
【００２３】
本発明の第１０観点に係る空調機は、第９観点に係る空調機であって、制御手段が暖房予熱設定時刻に基づいて第２機能開始時刻を決定する。さらに、制御手段は、第２機能開始時刻が予熱設定時間帯に存在するとき、第２機能開始時刻に暖房運転を開始する。
【００２４】
この空調機では、第１機能が第２機能より先行している時間帯のみ第１機能を働かせるので、第２機能が開始する前に圧縮機が温度上昇しており、暖房運転開始時の圧縮機への負荷が軽減され、節電効果が得られる。
【００２５】
本発明の第１１観点に係る空調機は、第１０観点に係る空調機であって、制御手段が、第２機能開始時刻が予熱設定時間帯よりも早く、第２設定時刻が予熱設定時間帯に存在するとき、第２機能開始時刻に暖房運転を開始する。
【００２６】
この空調機では、暖房快適性を求めるユーザーに対して、第１機能よりも能力の高い第２機能によって応えることができる。
【発明の効果】
【００２７】
本発明の第１観点に係る空調機では、設定手段が第１機能および第２機能の両方の成立に矛盾があるか否かにかかわらず第１機能および第２機能の両方を設定することができるので、一方が既に設定されていることを理由に他方が排除されることがない。
【００２８】
本発明の第２観点に係る空調機では、第１機能が、例えば冬場の朝など、すぐに暖かい空気が必要な生活シーンに適用されるので、暖かい空気の吹出方向が固定されることによって、ユーザーは暖気が到達するゾーンで朝の仕度をすればよく、ユーザーにとって使い勝手がよい。
【００２９】
本発明の第３観点に係る空調機では、例えば、第１機能における圧縮機の始動時間と第２機能における圧縮機の始動時間とが一致した場合などは、両機能の両立は不可能であるのでいずれか一方を優先すればよい。つまり、両機能の優先順位の決定は空調機側で行うので、ユーザー自らが考える必要がなく、使い勝手がよい。
【００３０】
本発明の第４観点に係る空調機では、部屋全体を設定温度まで暖める第２機能を優先した場合、エネルギー消費を増加させることになるので、第１機能に比べてエネルギー消費の少ない第１機能を優先させることによって、節電効果が得られる。
【００３１】
本発明の第５観点に係る空調機では、ユーザーが節電モードを選択するだけで、節電効果のある第１機能が自動的に選択されるので、ユーザーにとって使い勝手がよい。
【００３２】
本発明の第６観点に係る空調機では、第１機能の予熱設定時間帯に第２機能開始時刻および第２設定時刻の少なくともいずれか一方が存在するような状態のときに、ユーザーの手を煩わせることなく自動的に第１機能を選択し、必要最低限の暖気を供給しながら節電を行うことができる。
【００３３】
本発明の第７観点に係る空調機では、ユーザーが第1機能の予熱設定時間帯で暖房運転を開始させる時機を逸した場合でも、第２機能の暖房設定時刻になれば暖房運転が開始されるので、ユーザーに手間がかからず便利である。
【００３４】
本発明の第８観点に係る空調機では、第１機能が終了しても、圧縮機を停止させることなく暖房運転のために継続させることになるので、圧縮機への負荷が軽減され、節電効果が得られる。
【００３５】
本発明の第９観点に係る空調機では、ユーザーが節電よりも快適性を求めることを、節電モードの解除をもって確認できる上に、第２機能によってその求めに応えることができる。
【００３６】
本発明の第１０観点に係る空調機では、第１機能が第２機能より先行している時間帯のみ第１機能を働かせるので、第２機能が開始する前に圧縮機が温度上昇しており、圧縮機への負荷が軽減され、節電効果が得られる。
【００３７】
本発明の第１１観点に係る空調機では、暖房快適性を求めるユーザーに対して、第１機能よりも能力の高い第２機能によって応えることができる。
【図面の簡単な説明】
【００３８】
【図１】本発明の一実施形態に係る空調機の構成図。
【図２】空調機の室内機およびその空調機を遠隔操作するためのリモートコントロールユニットの斜視図。
【図３】空調機の制御ブロック図
【図４】空調機における第１機能および第２機能のタイムチャート。
【図５Ａ】空調機の第１制御フロー図。
【図５Ｂ】空調機の第２制御フロー図。
【図５Ｃ】空調機の第３制御フロー図。
【図５Ｄ】空調機の第４制御フロー図。
【図５Ｅ】空調機の第５制御フロー図。
【図５Ｆ】空調機の第６制御フロー図。
【発明を実施するための形態】
【００３９】
以下図面を参照しながら、本発明の実施形態について説明する。なお、以下の実施形態は、本発明の具体例であって、本発明の技術的範囲を限定するものではない。
【００４０】
（１）空調機１の構成
図１は、本発明の一実施形態に係る空調機１の構成図である。図１において、空調機１は、冷房運転及び暖房運転が可能な空気調和装置であり、室内機２と、室外機３と、室外機３と室内機２とを接続するための液冷媒連絡配管７、及びガス冷媒連絡配管９とを備えている。
【００４１】
（１−１）室内機２
図１において、室内機２は、室内熱交換器１１と、室内ファン３５とを有している。室内熱交換器１１は、クロスフィン型熱交換器であり、室内空気との熱交換によって内部を流れる冷媒を蒸発又は凝縮させ、室内の空気を冷却又は加熱することができる。
【００４２】
図２は、空調機１の室内機２および空調機１を遠隔操作するためのリモートコントロールユニット５２の斜視図である。図２において、リモートコントロールユニット５２（これ以後、リモコン５２とよぶ）は、ユーザーの操作に応じて、室内機２及び室外機３に内蔵されている制御部と交信して空調機を制御する。
【００４３】
（１−２）室外機３
図１において、室外機３は、主に、圧縮機１３、四路切換弁１５、室外熱交換器１７、膨張弁１９、及びアキュムレータ２１を有している。さらに、室外機３は室外ファン５５も有している。
【００４４】
（１−２−１）圧縮機１３、四路切換弁１５およびアキュムレータ２１
圧縮機１３は、ガス冷媒を吸入して圧縮する。圧縮機１３の吸込口手前には、アキュムレータ２１が配置されており、圧縮機１３に液冷媒が直に吸い込まれないようになっている。
【００４５】
四路切換弁１５は、冷房運転と暖房運転との切換時に、冷媒の流れの方向を切り換える。冷房運転時、四路切換弁１５は、圧縮機１３の吐出側と室外熱交換器１７のガス側とを接続するとともに圧縮機１３の吸入側と室内熱交換器１１のガス側とを接続する。つまり、図１の四路切換弁１５内の実線で示された状態である。
【００４６】
また、暖房運転時、四路切換弁１５は、圧縮機１３の吐出側と室内熱交換器１１のガス側とを接続するとともに圧縮機１３の吸入側と室外熱交換器１７のガス側とを接続する。つまり、図１の四路切換弁１５内の点線で示された状態である。
【００４７】
（１−２−２）室外熱交換器１７および室外ファン５５
室外熱交換器１７は、室外空気との熱交換によって内部を流れる冷媒を凝縮又は蒸発させることができる。なお、室外ファン５５が、この室外熱交換器１７に対面するように配置されており、回転することによって室外空気を取り込んで室外熱交換器１７に送風し、冷媒と室外空気との熱交換を促進する。
【００４８】
（１−２−３）膨張弁１９
膨張弁１９は、冷媒圧力や冷媒流量の調節を行うために、室外熱交換器１７と室内熱交換器１１の間の配管に接続され、冷房運転時及び暖房運転時のいずれにおいても、冷媒を膨張させる機能を有している。
【００４９】
（１−３）制御部５０
図３は、空調機１の制御ブロック図である。図３において、制御部５０はリモコン５２からの指令信号に基づいて、圧縮機１３の運転周波数、四路切換弁１５の切換動作、膨張弁１９の開度、および風向調整羽根駆動モータ６２の回転を制御する。
【００５０】
図１に示すように、制御部５０は、室内機２内に内蔵されている室内制御部５０ａと室外機３内に内蔵されている室外制御部５０ｂとを有している。室内制御部５０ａとリモコン５２との間では赤外線信号の送受信が行われる。室内制御部５０ａと室外制御部５０ｂとの間では信号の送受信がワイヤを介して行われる。
【００５１】
（１−４）リモコン５２
リモコン５２には、運転スイッチ２２、運転切換スイッチ２４、温度設定スイッチ２６、入りタイマースイッチ２８、節電モードスイッチ３０、第１機能設定スイッチ４１、第２機能設定スイッチ４２、及び風向調整スイッチ６１が設けられている。
【００５２】
なお、第１機能設定スイッチ４１及び第２機能設定スイッチ４２を総称して設定手段とよぶ。さらに、風向調整スイッチ６１、風向調整羽根駆動モータ６２及び風向調整羽根６３（図２参照）を総称して風向調整手段６０とよぶ。
【００５３】
運転スイッチ２２は、操作される毎に空調機１の運転と停止とを交互に切り換える。運転切換スイッチ２４は、操作される毎に運転を自動→冷房→除湿→暖房の順に切り換える。温度設定スイッチ２６は、上押操作される毎に設定温度が上昇し、下押操作される毎に設定温度が降下する。入りタイマースイッチ２８は、操作される毎に１時間後、２時間後・・・６時間後のように順次に入り時刻が変更される。節電モードスイッチ３０は、操作される毎に節電モードのオンとオフとを交互に切り換える。
【００５４】
第１機能設定スイッチ４１は、操作される毎に第１機能のオンとオフとを交互に切り換える。第２機能設定スイッチ４２は、操作される毎に第２機能のオンとオフとを交互に切り換える。風向調整スイッチ６１は、操作される毎に風向調整羽根６３（図２参照）の上下遥動と任意位置固定とを交互に切り換える。
【００５５】
（２）第１機能および第２機能
（２−１）第１機能
図４は、空調機における第１機能および第２機能のタイムチャートである。図４において、第１機能設定スイッチ４１がオンのとき、任意の第１設定時刻ｔ１を挟んだ所定の設定時間帯に圧縮機１３を低能力で運転し暖房運転時と同じ冷凍サイクルで冷媒を循環させる。この機能が第１機能である。
【００５６】
設定時間帯の開始点である第１機能開始時刻ｔ１ｓは第１設定時間ｔ１より所定時間早く、設定時間帯の終了点である第１機能終了時刻ｔ１ｆは第１設定時間ｔ１より所定時間遅い。
【００５７】
この設定時間帯では、リモコン５２から制御部５０へ暖房運転開始の指令が入れば、制御部５０は圧縮機１３の運転周波数を最大能力まで立ち上げる。圧縮機１３は事前の低能力運転によって暖められているので、素早い上がりで暖房を開始することができる。
【００５８】
（２−２）第２機能
また、入りタイマースイッチ２８で入り時刻が設定されているとき、第２機能設定スイッチ４２がオンになると、上記入り時刻が第２設定時刻ｔ２となり、時刻が第２設定時刻ｔ２に到達した時点で部屋が既に暖まっているように、第２設定時刻ｔ２よりも早い時刻ｔ２ｓから暖房運転が開始される。この機能が第２機能である。
【００５９】
（３）節電モードと第１機能および第２機能との関係
節電モードスイッチ３０がオンのとき、第１機能設定スイッチ４１及び第２機能設定スイッチ４２がともにオンであっても、制御部５０は第２機能よりも第１機能を優先する。
【００６０】
（３−１）第１状態
図４において、第１機能の設定時間帯ｔ１ｓ〜ｔ１ｆに第２機能開始時刻ｔ２ｓだけが存在する状態を第１状態とする。以下、第１状態における節電モードオン時、オフ時の空調機１の動作を説明する。
【００６１】
（３−１−１）節電モードがオンのとき
空調機１は第１機能の設定時間帯ｔ１ｓ〜ｔ１ｆが終了するまで第１機能で動作する。そして、時刻が第１機能終了時刻ｔ１ｆに到達したとき、暖房運転を開始する。なお、制御部５０は、第１機能の設定時間帯ｔ１ｓ〜ｔ１ｆの途中に、暖房運転開始指令を受けたときは、その時点から暖房運転を開始する。
【００６２】
（３−１−２）節電モードがオフのとき
空調機１は第１機能開始時刻ｔ１ｓから第２機能開始時刻ｔ２ｓまでの間は第１機能で動作する。そして、第２機能開始時刻ｔ２ｓから暖房運転を開始する。なお、制御部５０は、第１機能開始時刻ｔ１ｓから第２機能開始時刻ｔ２ｓまでの間で、暖房運転開始指令を受けたときは、その時点から暖房運転を開始する。
【００６３】
（３−２）第２状態
図４において、第１機能の設定時間帯ｔ１ｓ〜ｔ１ｆに第２機能開始時刻ｔ２ｓおよび第２設定時刻ｔ２が存在する状態を第２状態とする。以下、第２状態における節電モードオン時、オフ時の空調機１の動作を説明する。
【００６４】
（３−２−１）節電モードがオンのとき
空調機１は第１機能開始時間ｔ１ｓから第２設定時刻ｔ２まで第１機能で動作する。そして、第２時刻ｔ２から暖房運転を開始する。なお、制御部５０は、第１機能開始時間ｔ１ｓから第２設定時刻ｔ２までの途中に、暖房運転開始指令を受けたときは、その時点から暖房運転を開始する。
【００６５】
（３−２−２）節電モードがオフのとき
空調機１は第１機能開始時刻ｔ１ｓから第２機能開始時刻ｔ２ｓまでの間は第１機能で動作する。そして、第２機能開始時刻ｔ２ｓから暖房運転を開始する。なお、制御部５０は、第１機能開始時刻ｔ１ｓから第２機能開始時刻ｔ２ｓまでの間で、暖房運転開始指令を受けたときは、その時点から暖房運転を開始する。
【００６６】
（３−３）第３状態
図４において、第１機能の設定時間帯ｔ１ｓ〜ｔ１ｆに第２設定時刻ｔ２だけが存在する状態を第３状態とする。以下、第３状態における節電モードオン時、オフ時の空調機１の動作を説明する。
【００６７】
（３−３−１）節電モードがオンのとき
空調機１は第１機能開始時刻ｔ１ｓから第２設定時刻ｔ２まで第１機能で動作する。そして、第２設定時刻ｔ２から暖房運転を開始する。なお、制御部５０は、第１機能開始時刻ｔ１ｓから第２設定時刻ｔ２までの途中に、暖房運転開始指令を受けたときは、その時点から暖房運転を開始する。
【００６８】
（３−３−２）節電モードがオフのとき
空調機１は第１機能を無効にし、第２機能開始時刻ｔ２ｓから暖房運転を開始する。
【００６９】
（４）第１機能および第２機能の動作フロー
（４−１）第１機能および第２機能の設定から節電モードのオン・オフ判定までのフロー
図５Ａは、空調機１の第１制御フロー図である。図５Ａにおいて、ステップＳ１で制御部５０は第１機能がオンか否かを判定し、オンと判定したときはステップＳ２へ進み、オフと判定したときは待機して判定を継続する。
【００７０】
ステップＳ２で制御部５０は第１設定時刻ｔ１の入力を待ち、入力がない場合は前回の第１設定時刻が入力されたものとする。
【００７１】
ステップＳ３で制御部５０は第１機能開始時刻ｔ１ｓと第１機能終了時刻ｔ１ｆを決定する。本実施形態では、第１機能開始時刻ｔ１ｓは第１設定時刻ｔ１の３０分前であり、第１機能終了時刻ｔ１ｆは第１設定時刻ｔ１の３０分後である。
【００７２】
ステップＳ４で制御部５０は第２機能がオンか否かを判定し、オンと判定したときはステップＳ４へ進み、オフと判定したときは第３制御フローＢへ進む。
【００７３】
ステップＳ５で制御部５０は第２設定時刻ｔ２の入力を待ち、入力がない場合は前回の第２設定時刻が入力されたものとする。
【００７４】
ステップＳ６で制御部５０は第２機能開始時刻ｔ２ｓを決定する。本実施形態では、第２機能開始時刻ｔ２ｓは第２設定時刻ｔ２の２０分前である。
【００７５】
ステップＳ７で制御部５０は節電モードがオンか否かを判定し、オンと判定したときは第２制御フローＡへ進み、オフと判定したときは第５制御フローＤへ進む。
【００７６】
（４−２）第１機能および第２機能の両立可否を判定するためのフロー
ステップＳ８で制御部５０は、第１機能開始時刻ｔ１ｓが第２機能開始時刻ｔ２ｓより早いか否かを判定し、早いと判定したときはステップＳ９へ進み、遅いと判定したときは第４制御フローＣへ進む。
【００７７】
ステップＳ９で制御部５０は、第１機能終了時刻ｔ１ｆが第２機能開始時刻ｔ２ｓより早いか否かを判定し、早いと判定したときはステップＳ１０へ進み、遅いと判定したときは第４制御フローＣへ進む。
【００７８】
ステップＳ１０で制御部５０は、時刻が第１機能開始時刻ｔ１ｓに達したか否かを判定し、達したと判定したときはステップＳ１１へ進み、達していないと判定したときは待機して判定を継続する。
【００７９】
ステップＳ１１で制御部５０は、第１機能を開始する。ステップＳ１２で制御部５０は、暖房運転開始指令があったか否かを判定し、その指令があったと判定したときはステップＳ１６へ進んで暖房運転を開始し、その指令がなかったと判定したときはステップＳ１３へ進む。
【００８０】
ステップＳ１３で制御部５０は、時刻が第１機能終了時刻ｔ１ｆになったか否かを判定し、第１機能終了時刻ｔ１ｆになったと判定したときはステップＳ１４に進み、第１機能終了時刻ｔ１ｆになっていないと判定したときは待機して判定を継続する。
【００８１】
ステップＳ１４で制御部５０は、第１機能を終了する。ステップＳ１５で制御部５０は、時刻が第２機能開始時刻ｔ２ｓになったか否か判定し、第２機能開始時刻ｔ２ｓになったと判定したときはステップＳ１６へ進み、第２機能開始時刻ｔ２ｓになっていないと判定したときは待機して判定を継続する。ステップＳ１６で制御部５０は暖房運転を開始する。
【００８２】
（４−３）第１機能のみ可動するフロー
先のステップＳ４では、制御部５０は第２機能がオフと判定し、第３制御フローＢのステップＳ４１へ進んでいる。ステップＳ４１では制御部５０は、時刻が第１機能開始時刻ｔ１ｓになったか否か判定し、第１機能開始時刻ｔ１ｓになったと判定したときはステップＳ４２に進み、第１機能開始時刻ｔ１ｓになっていないと判定したときは待機して判定を継続する。
【００８３】
ステップＳ４２で制御部５０は、第１機能を開始する。ステップＳ４３で制御部５０は、暖房運転開始指令があったか否かを判定し、その指令があったと判定したときはステップＳ４３１へ進んで暖房運転を開始し、その指令がなかったと判定したときはステップＳ４４へ進む。
【００８４】
ステップＳ４４で制御部５０は、時刻が第１機能終了時刻ｔ１ｆになったか否かを判定し、第１機能終了時刻ｔ１ｆになったと判定したときはステップＳ４５に進み、第１機能終了時刻ｔ１ｆになっていないと判定したときは待機して判定を継続する。ステップＳ４５で制御部５０は第１機能を終了する。
【００８５】
（４−４）第１機能を優先するフロー
先のステップＳ８で制御部５０は第１機能開始時刻ｔ１ｓが第２機能開始時刻ｔ２ｓより遅いと判定し、或は、先のステップＳ９で制御部５０が第１機能終了時刻ｔ１ｆが第２機能開始時刻ｔ２ｓより遅いと判定し第４制御フローＣのステップＳ７１へ進んでいる。
【００８６】
ステップＳ７１で制御部５０は、時刻が第１機能開始時刻ｔ１ｓになったか否か判定し、第１機能開始時刻ｔ１ｓになったと判定したときはステップＳ７２に進み、第１機能開始時刻ｔ１ｓになっていないと判定したときは待機して判定を継続する。
【００８７】
ステップＳ７２で制御部５０は、第１機能を開始する。ステップＳ７３で制御部５０は、時刻が第２設定時刻ｔ２になったか否かを判定し、第２設定時刻ｔ２になったと判定したときはステップＳ７７に暖房運転を開始し、第２設定時刻ｔ２になっていないと判定したときはステップＳ７４へ進む。
【００８８】
ステップＳ７４で制御部５０は、暖房運転開始指令があったか否かを判定し、その指令があったと判定したときはステップＳ７７へ進んで暖房運転を開始し、その指令がなかったと判定したときはステップＳ７５へ進む。
【００８９】
ステップＳ７５で制御部５０は、時刻が第１機能終了時刻ｔ１ｆになったか否かを判定し、第１機能終了時刻ｔ１ｆになったと判定したときはステップＳ７６に進み、第１機能終了時刻ｔ１ｆになっていないと判定したときはステップＳ７３へ戻る。ステップＳ７６で制御部５０は第１機能を終了する。そして、ステップＳ７７で制御部５０は暖房運転を開始する。
【００９０】
（４−５）第２機能を優先するフロー・その１
先のステップＳ７では、制御部５０は節電モードがオフと判定し第５制御フローＤのステップＳ８１へ進んでいる。ステップＳ８１で制御部５０は、第１機能開始時刻ｔ１ｓが第２機能開始時刻ｔ２ｓより早いか否かを判定し、早いと判定したときはステップＳ８２へ進み、遅いと判定したときはステップＳ８９へ進み暖房運転を開始する。
【００９１】
ステップＳ８２で制御部５０は、第１機能終了時刻ｔ１ｆが第２機能開始時刻ｔ２ｓより早いか否かを判定し、早いと判定したときはステップＳ８３へ進み、遅いと判定したときは第６制御フローＥへ進む。
【００９２】
ステップＳ８３で制御部５０は、時刻が第１機能開始時刻ｔ１ｓに達したか否かを判定し、達したと判定したときはステップＳ８４へ進み、達していないと判定したときは待機して判定を継続する。
【００９３】
ステップＳ８４で制御部５０は、第１機能を開始する。ステップＳ８５で制御部５０は、暖房運転開始指令があったか否かを判定し、その指令があったと判定したときはステップＳ８９へ進んで暖房運転を開始し、その指令がなかったと判定したときはステップＳ８６へ進む。
【００９４】
ステップＳ８６で制御部５０は、時刻が第１機能終了時刻ｔ１ｆになったか否かを判定し、第１機能終了時刻ｔ１ｆになったと判定したときはステップＳ８７に進み、第１機能終了時刻ｔ１ｆになっていないと判定したときは待機して判定を継続する。
【００９５】
ステップＳ８７で制御部５０は、第１機能を終了する。ステップＳ８８で制御部５０は、時刻が第２機能開始時刻ｔ２ｓになったか否か判定し、第２機能開始時刻ｔ２ｓになったと判定したときはステップＳ８９へ進み、第２機能開始時刻ｔ２ｓになっていないと判定したときは待機して判定を継続する。そして、ステップＳ８９で制御部５０は暖房運転を開始する。
【００９６】
（４−６）第２機能を優先するフロー・その２
先のステップＳ８２では、制御部５０は第１機能終了時刻ｔ１ｆが第２機能開始時刻ｔ２ｓより遅いと判定し第６制御フローＥのステップＳ９１へ進んでいる。ステップＳ９１では制御部５０は、時刻が第１機能開始時刻ｔ１ｓになったか否か判定し、第１機能開始時刻ｔ１ｓになったと判定したときはステップＳ９２に進み、第１機能開始時刻ｔ１ｓになっていないと判定したときは待機して判定を継続する。
【００９７】
ステップＳ９２で制御部５０は、第１機能を開始する。ステップＳ９３で制御部５０は、暖房運転開始指令があったか否かを判定し、その指令があったと判定したときはステップＳ９５へ進んで暖房運転を開始し、その指令がなかったと判定したときはステップＳ９４へ進む。
【００９８】
ステップＳ９４で制御部５０は、時刻が第２設定時刻ｔ２になったか否かを判定し、第２設定時刻ｔ２になったと判定したときはステップＳ９５に進み、第２設定時刻ｔ２になっていないと判定したときはステップＳ９３へ戻る。ステップＳ９５で制御部５０は暖房運転を開始する。
【００９９】
（５）特徴
（５−１）
空調機１では、リモコン５２に設けられた第１機能設定スイッチ４１及び第２機能設定スイッチ４２を介して第１機能および第２機能の両方を設定することができる。それゆえ、一方が既に設定されていることを理由に他方が排除されることがない。
【０１００】
（５−２）
空調機１では、暖かい空気の吹出方向が固定されることが可能である。それゆえ、ユーザーは寒い早朝でも暖気が到達するゾーンで朝の仕度をすればよいので、便利で快適である。
【０１０１】
（５−３）
空調機１では、第１機能開始時間ｔ１ｓと第２機能開始時間ｔ２ｓとが一致した場合などは、両機能の優先順位の決定を制御部５０が行うので、ユーザー自らが考える必要がなく、便利である。
【０１０２】
（５−４）
空調機１では、部屋全体を設定温度まで暖める第２機能を優先した場合、エネルギー消費を増加させることになるので、第１機能に比べてエネルギー消費の少ない第１機能を優先させることによって、節電効果が得られる。
【０１０３】
（５−５）
空調機１では、ユーザーがリモコン５２の節電モードスイッチ３０をオンにするだけで、節電効果のある第１機能が自動的に選択されるので、ユーザーにとって使い勝手がよい。
【０１０４】
（５−６）
空調機１では、第１機能の設定時間帯ｔ１ｓ〜ｔ１ｆに第２機能開始時刻ｔ２ｓおよび第２設定時刻ｔ２の少なくともいずれか一方が存在するような状態のときに、ユーザーの手を煩わせることなく自動的に第１機能を選択し、必要最低限の暖気を供給しながら節電を行うことができる。
【０１０５】
（５−７）
空調機１では、節電モードにおいて、ユーザーが第１機能の設定時間帯で暖房運転を開始させる時機を逸した場合でも、第２機能の第２設定時刻ｔ２になれば暖房運転が開始されるので、ユーザーは操作の手間を省くことができる。
【０１０６】
（５−８）
空調機１では、節電モードにおいて、第１機能が終了しても、圧縮機１３を停止させることなく暖房運転のために継続させることになるので、圧縮機１３への負荷が軽減され、節電効果が得られる。
【０１０７】
（５−９）
空調機１では、ユーザーが節電よりも快適性を求めることを、リモコン５２の節電モードスイッチ３０のオフ動作をもって確認でき、それに対して、第２機能によってその求めに応えることができる。
【０１０８】
（５−１０）
空調機１では、第１機能が第２機能より先行している時間帯のみ第１機能を働かせるので、第２機能が開始する前に圧縮機１３が温度上昇しているので、圧縮機１３への負荷が軽減され、節電効果が得られる。
【０１０９】
（５−１１）
空調機１では、暖房快適性を求めるユーザーに対して、第１機能よりも能力の高い第２機能によって応えることができる。
【産業上の利用可能性】
【０１１０】
本発明は、壁掛け式空調機に有用である。
【符号の説明】
【０１１１】
４０  設定手段
５０  制御手段
６０  風向調整手段
【先行技術文献】
【特許文献】
【０１１２】
【特許文献１】特開２０１０−４８４９４号公報
【図１】
0005857640.tif 000002
【図２】
0005857640.tif 000003
【図３】
0005857640.tif 000004
【図４】
0005857640.tif 000005
【図５Ａ】
0005857640.tif 000006
【図５Ｂ】
0005857640.tif 000007
【図５Ｃ】
0005857640.tif 000008
【図５Ｄ】
0005857640.tif 000009
【図５Ｅ】
0005857640.tif 000010
【図５Ｆ】
0005857640.tif 000011